(57)【要約】【課題】各バッグが十分に一体化固定されているキャディバッグを提供する。【解決手段】胴部材４と底部材５を有している第１のバッグ２と、開口縁部８の一方に把手９が設けられており、開口縁部８の他方にフック１０が設けられており、一方側に脚部１２が設けられている第２のバッグ３を有し、第１のバッグ２及び前記第２のバッグ３のいずれか一方の高さ方向の中央より下側に連結部材１４が設けられており、フック１０は前記第１のバッグ２の開口部１１に係合し、連結部材１４は第１のバッグ２または第２のバッグ３の外周と接して、第１のバッグ２と第２のバッグ３が着脱可能に接続される。【選択図】図１
0003210620.tif 000002
【実用新案登録請求の範囲】
【請求項１】
胴部材と底部材を有している第１のバッグと、
開口縁部の一方に把手が設けられており、開口縁部の他方にフックが設けられており、一方側に脚部が設けられている第２のバッグを有し、
前記第１のバッグ及び前記第２のバッグのいずれか一方の、高さ方向の中央より下側に連結部材が設けられており、
前記フックは、前記第１のバッグの開口部に係合し、前記連結部材は、前記第１のバッグまたは前記第２のバッグの外周と接して、前記第１のバッグと前記第２のバッグが着脱可能に接続されることを特徴とするキャディバッグ。
【請求項２】
前記連結部材は、前記第１のバッグの高さの１０％以上４５％以下の位置に設けられている請求項１に記載のキャディバッグ。
【請求項３】
前記連結部材は、帯状または紐状である請求項１または２に記載のキャディバッグ。
【請求項４】
前記連結部材は、前記第１のバッグの外周面の第１部分を出発点とし、前記第１部分とは異なる第２部分を終点とする区間において露出しており、
前記第１部分から前記第２部分までの前記連結部材の長さは、前記第１のバッグの外周の３０％以上の長さである請求項３に記載のキャディバッグ。
【請求項５】
前記連結部材は、第１部材と第２部材を有し、
前記第１部分から前記第１部材の端部までの長さは、前記第２部分から前記第２部材の端部までの長さよりも長い請求項４に記載のキャディバッグ。
【請求項６】
前記第１のバッグは、前記第１のバッグの側面に第１補助収納部を有しており、
前記連結部材は、長さ調節部材を有しており、前記第１補助収納部の内部に、前記長さ調節部材が配されている請求項３〜５のいずれか一項に記載のキャディバッグ。
【請求項７】
前記第２部材は、前記第１のバッグに固定されており、前記第２部分から前記第２部材の端部までの長さが一定である請求項５または６に記載のキャディバッグ。
【請求項８】
前記第１のバッグは、前記第１部分及び前記第２部分にハトメを有している請求項４〜７のいずれか一項に記載のキャディバッグ。
【請求項９】
前記第２のバッグは、前記開口縁部の他方側に第２補助収納部を有している請求項１〜８のいずれか一項に記載のキャディバッグ。
【請求項１０】
前記連結部材は、前記第２のバッグの高さの１０％以上４５％以下の位置に設けられている請求項１に記載のキャディバッグ。
【請求項１１】
前記第２のバッグは、前記脚部が前記第１のバッグの反対側に位置するように、前記第１のバッグと接続される請求項１〜１０のいずれか一項に記載のキャディバッグ。
【請求項１２】
前記脚部は２本であり、前記把手の両側に設けられている請求項１〜１１のいずれか一項に記載のキャディバッグ。
【考案の詳細な説明】
【技術分野】
【０００１】
本考案はキャディバッグに関するものであり、詳細には第１のバッグと第２のバッグが着脱可能に接続されるキャディバッグに関するものである。
【背景技術】
【０００２】
近年、ゴルフクラブを収納するキャディバッグ本体とは別に、グリーン上及びグリーン周りにて使用するクラブを収納する小型クラブケース（セルフクラブケース）を使用するプレイヤーが増えている。キャディバッグ本体はゴルフカートに載せておき、グリーン上及びグリーン周りではプレイヤーが小型クラブケースを持ち歩くとした使用形態が多い。小型クラブケースとして、例えば特許文献１には、バッグ本体の一方に把手を有し、他方にスタンド脚と支柱を有し、該支柱の上方またはバッグ本体の開口縁部に外向きのフックを延設したスタンド脚付きゴルフバッグが記載されている。
【先行技術文献】
【特許文献】
【０００３】
【特許文献１】登録実用新案第３１９１２４４号公報
【考案の概要】
【考案が解決しようとする課題】
【０００４】
このような構造の小型クラブケース及びキャディバッグ本体を共に持ち運ぶ際には、小型クラブケースのフックをキャディバッグ本体の開口縁部に引っ掛けることにより、小型クラブケースとキャディバッグ本体を接続する。しかし、この接続方法では、小型クラブケースはキャディバッグ本体の開口縁部に引っ掛かっているだけであり、更に改良の余地があると考えられる。
【０００５】
本考案は前記事情に鑑みてなされたものであり、その目的は、第１のバッグと第２のバッグが着脱可能に接続されるキャディバッグであって、これらのバッグが十分に一体化固定されているキャディバッグを提供することにある。
【課題を解決するための手段】
【０００６】
本考案者が様々なキャディバッグを調査した結果、小型クラブケースの下部が固定されていないため小型クラブケースとキャディバッグ本体が持ち運びにくいという問題があった。また、小型クラブケースの下部が固定されていないため小型クラブケースが動き、地面や他物に接触したり脱落したりし、小型クラブケースや小型クラブケースに収納しているゴルフクラブが破損または汚損する恐れもある。
【０００７】
前記課題を解決することができた本考案のキャディバッグは、胴部材と底部材を有している第１のバッグと、開口縁部の一方に把手が設けられており、開口縁部の他方にフックが設けられており、一方側に脚部が設けられている第２のバッグを有し、第１のバッグ及び第２のバッグのいずれか一方の、高さ方向の中央より下側に連結部材が設けられており、フックは第１のバッグの開口部に係合し、連結部材は第１のバッグまたは第２のバッグの外周と接して、第１のバッグと第２のバッグが着脱可能に接続されることを特徴とするものである。
【０００８】
本考案のキャディバッグは、フックと連結部材の両方を用いて接続することにより、第１のバッグと第２のバッグを十分に一体化固定することができる。
【０００９】
本考案のキャディバッグにおいて、連結部材は第１のバッグの高さの１０％以上４５％以下の位置に設けられていることが好ましい。
【００１０】
本考案のキャディバッグにおいて、連結部材は帯状または紐状であることが好ましい。
【００１１】
本考案のキャディバッグにおいて、連結部材は第１のバッグの外周面の第１部分を出発点とし、第１部分とは異なる第２部分を終点とする区間において露出しており、第１部分から第２部分までの連結部材の長さは第１のバッグの外周の３０％以上の長さであることが好ましい。
【００１２】
本考案のキャディバッグにおいて、連結部材は第１部材と第２部材を有し、第１部分から第１部材の端部までの長さは第２部分から第２部材の端部までの長さよりも長いことが好ましい。
【００１３】
本考案のキャディバッグにおいて、第１のバッグは第１のバッグの側面に第１補助収納部を有しており、連結部材は長さ調節部材を有しており、第１補助収納部の内部に長さ調節部材が配されていることが好ましい。
【００１４】
本考案のキャディバッグにおいて、第２部材は第１のバッグに固定されており、第２部分から第２部材の端部までの長さが一定であることが好ましい。
【００１５】
本考案のキャディバッグにおいて、第１のバッグは第１部分及び第２部分にハトメを有していることが好ましい。
【００１６】
本考案のキャディバッグにおいて、第２のバッグは開口縁部の他方側に第２補助収納部を有していることが好ましい。
【００１７】
本考案のキャディバッグにおいて、連結部材は第２のバッグの高さの１０％以上４５％以下の位置に設けられていることも好ましい。
【００１８】
本考案のキャディバッグにおいて、第２のバッグは脚部が第１のバッグの反対側に位置するように第１のバッグと接続されることが好ましい。
【００１９】
本考案のキャディバッグにおいて、脚部は２本であり、把手の両側に設けられていることが好ましい。
【考案の効果】
【００２０】
本考案のキャディバッグは、第１のバッグと、開口縁部の他方にフックが設けられている第２のバッグを有し、第１のバッグ及び前記第２のバッグのいずれか一方に連結部材が設けられており、フックは第１のバッグの開口部に係合し、連結部材は第１のバッグまたは第２のバッグの外周と接して、第１のバッグと第２のバッグが着脱可能に接続されることを特徴とする。フックと連結部材の両方を用いて第１のバッグと第２のバッグが接続されることにより、第１のバッグと第２のバッグを十分に固定することができ、第１のバッグと第２のバッグを一体化した状態で持ち運びやすく、キャディバッグやその収納物の破損や汚損が起こりにくくなる。
【図面の簡単な説明】
【００２１】
【図１】本考案の実施の形態におけるキャディバッグの斜視図を表す。
【図２】本考案の実施の形態における第１のバッグの側面図を表す。
【図３】本考案の実施の形態における第１のバッグの上側から見た平面図を表す。
【図４】本考案の実施の形態における連結部材付近の拡大図を表す。
【図５】本考案の実施の形態における第１補助収納部の内部の拡大図を表す。
【図６】本考案の実施の形態における第２のバッグの斜視図を表す。
【図７】本考案の実施の形態における第２のバッグの一方側から見た側面図を表す。
【考案を実施するための形態】
【００２２】
以下、本考案に係るキャディバッグに関して図面を参照しつつ具体的に説明するが、本考案はもとより図示例に限定される訳ではなく、前、後記の趣旨に適合し得る範囲で適当に変更を加えて実施することも可能であり、それらはいずれも本考案の技術的範囲に包含される。
【００２３】
本考案に係るキャディバッグは、胴部材と底部材を有している第１のバッグと、開口縁部の一方に把手が設けられており、開口縁部の他方にフックが設けられており、一方側に脚部が設けられている第２のバッグを有し、第１のバッグ及び第２のバッグのいずれか一方の高さ方向の中央より下側に連結部材が設けられており、フックは第１のバッグの開口部に係合し、連結部材は第１のバッグまたは第２のバッグの外周と接して、第１のバッグと第２のバッグが着脱可能に接続されることを特徴とするものである。以下、本考案におけるキャディバッグ、第１のバッグ、第２のバッグ、連結部材についてそれぞれ説明する。
【００２４】
本考案において、キャディバッグとはゴルフの練習やラウンドの際にゴルフクラブを収納し、携行するためのものである。図１に示すように、キャディバッグ１は第１のバッグ２と第２のバッグ３を有している。なお、本考案において、高さ方向とはゴルフクラブを出し入れする開口部側から地面側に向かう方向に相当する。上側は開口部側を意味し、下側は地面側を意味する。
【００２５】
図２に示すように、第１のバッグ２は胴部材４と底部材５を有している。
【００２６】
胴部材４はゴルフクラブのヘッド部が上、グリップ部が下となる向きに複数のゴルフクラブを立てた状態で収納するため、ゴルフクラブのグリップ及びシャフトを取り囲むように覆う部材である。
【００２７】
胴部材４は筒状に形成されるものであり、胴部材４の高さ方向から見た形状は特に限定されず、収納するゴルフクラブの本数に応じた任意の大きさの円形、楕円形、多角形等が挙げられる。中でも、円形または楕円形であることが好ましい。胴部材４の高さ方向から見た形状が円形または楕円形であれば、胴部材４に荷重がかかる場合、荷重が１点へ集中せずに全体へ分散されるため、胴部材４の破損を防ぐことができる。
【００２８】
胴部材４の素材はゴルフクラブを複数本収納しても変形しない程度の剛性を有していればよく、例えば、ポリプロピレン、ポリエチレン等の合成樹脂が挙げられる。中でも、ポリエチレンが好ましい。胴部材４の素材がポリエチレンであることにより、胴部材４の耐衝撃性を向上することができる。
【００２９】
胴部材４の保護や収納容量の増大、意匠性の観点から、胴部材４の外側面に外装材を設けることもできる。胴部材４の一部にのみ外装材を設けることも可能であるが、この場合は胴部材４の外装材が設けられない部分が露出し、日光や雨等にさらされる恐れがある。そのため、胴部材４の素材に耐候性の高い合成樹脂材料を用いることが好ましい。さらに、胴部材４の一部にのみ外装材を設ける場合、胴部材４内に収納されるゴルフクラブが外から見えるよう、胴部材４の材料として可視光の透過性が高い素材を用いることも好ましい。外装材には、例えば、後述する第１補助収納部６や取手７等を設けてもよい。
【００３０】
外装材の素材は防水処理を施したキャンバス地、ポリエステル地等の織物、皮革、ナイロン６、ナイロン１２、ナイロン６６等のポリアミド等の合成樹脂シート等が挙げられるが特に限定されない。中でも、ポリエステルの織物または合成皮革であることが好ましい。外装材の素材がポリエステルの織物であることにより、強度の高さと軽量性を両立することができる。また、外装材の素材が合成皮革であることにより、強度が高い外装材とすることが可能となる。
【００３１】
ゴルフクラブを胴部材４内へ収納した際にゴルフクラブに傷がつくことを防止するため、胴部材４の内側面に内装材を設けることが好ましい。
【００３２】
内装材の素材は引っ張りや引き裂きに強く、防水性、耐水性、耐汚性が高く、また、ゴルフクラブに傷がつかないものであることが好ましい。例えば、ナイロン、ポリエステル、ポリビニルアルコール、塩化ビニリデン、塩化ビニル等の合成繊維の織布、皮革等が挙げられる。中でも、ポリエステルの織物または合成皮革が好ましい。内装材がポリエステルの織物であることにより、高強度でありながら軽量である内装材とすることが可能となる。また、内装材が合成皮革であることにより、高強度の内装材とすることができる。なお、内装材には防水処理や撥水処理を施した素材を用いることもできる。
【００３３】
底部材５は胴部材４の下側に設けられるものであり、ゴルフクラブが地面に直接触れないように支える、受け皿としての機能を有する。
【００３４】
底部材５はゴルフクラブを立てた状態にて所望の本数のゴルフクラブのグリップが収まる大きさを有していればよい。高さ方向と直交する断面における底部材５の形状は胴部材４の高さ方向から見た形状と略同じであることが好ましく、例えば、円形、楕円形、多角形等が挙げられる。
【００３５】
底部材５の素材はゴルフクラブを複数本収納しても変形しない程度の剛性を有していればよく、例えば、ポリプロピレン、ポリエチレン等の合成樹脂が挙げられる。第１のバッグ２本体の耐久性を高める観点から、底部材５は胴部材４よりも高い剛性を有していることがより好ましい。
【００３６】
上述した胴部材４と底部材５を接続することにより、第１のバッグ２は有底円筒形や有底角筒形等の形状となり、主にゴルフクラブが収納される主収納部として機能する。胴部材４と底部材５の接続方法は特に限定されず、例えば、ビスやカシメ等を用いる接続、接着剤、融着による接続等が挙げられる。中でも、ビスやカシメを用いる接続が好ましい。胴部材４と底部材５をビスやカシメを用いて接続することにより、胴部材４と底部材５を強固に接続固定することができる。
【００３７】
ゴルフのプレイ時には、ドライバー、スプーン、バフィー、３〜９番アイアン、サンドウェッジ、アプローチウェッジ、ピッチングウェッジ、フェアウェイウッド、ユーティリティー、パター等の様々なゴルフクラブが使い分けられる。そのため、ゴルフクラブの種類毎に分類して収納できるよう、第１のバッグ２の主収納部は複数の区画に分けられることが好ましい。
【００３８】
図６及び図７に示すように、第２のバッグ３は開口縁部８の一方に把手９が設けられており、開口縁部８の他方にフック１０が設けられている。把手９及びフック１０が第２のバッグ３のこのような位置に設けられていることにより、第２のバッグ３を他物に引っ掛けやすくなる。
【００３９】
把手９は第２のバッグ３の持ち手となる部材であり、第２のバッグ３のフック１０を第１のバッグ２の開口部１１やゴルフカートに引っ掛ける際等に把手９を持つ。
【００４０】
把手９の形状は握りやすい形状であればよく、特に限定されない。例えば、把手９は縦向きであってもよく、横向きであってもよい。中でも、把手９は縦向きであることが好ましい。把手９が縦向きであることにより、第２のバッグ３を持ち上げることが容易となる。
【００４１】
把手９の素材は合成樹脂、金属、合成繊維の織編物、これらを組み合わせたもの等が挙げられるが特に限定されない。中でも、合成樹脂の成形品であることが好ましい。把手９が合成樹脂の成形品であることにより、把手９の強度を保ちつつ軽量化を図ることができる。また、第２のバッグ３の開口縁部８を形成する部材と把手９を一体の部品とすることも好ましい。開口縁部８を形成する部材と把手９とが一体であることにより、把手９の強度をより高めることが可能となる。
【００４２】
図１に示すように、フック１０は第１のバッグ２の開口部１１に掛けて第１のバッグ２と第２のバッグ３を接続する、ゴルフカートに掛けて第２のバッグ３の落下を防止する等、第２のバッグ３を他物に引っ掛けることに用いる部材である。
【００４３】
フック１０の形状は特に限定されないが、他物への引っ掛けや取り外しが容易にできる形状であることが好ましい。例えば、フック１０の先端部が下向きであり、かつ第２のバッグ３から離れる方向に延びている形状が好ましい。
【００４４】
フック１０の素材は特に限定されず、例えば、合成樹脂、金属、これらを組み合わせたもの等が挙げられる。フック１０の素材が金属であれば、フック１０の強度を高めることができる。フック１０の素材が合成樹脂であれば、第１のバッグ２を他物に引っ掛ける際に他物を傷つけにくくすることができる。また、第２のバッグ３の開口縁部８を形成する部材とフック１０を一体の部品とすることも好ましい。開口縁部８を形成する部材とフック１０が一体であることにより、フック１０の強度を高めることが可能となる。さらに、開口縁部８を形成する部材とフック１０を金属にて作製し、その表面を合成樹脂にて覆うことも好ましい。開口縁部８を形成する部材とフック１０がこのように構成されていることにより、フック１０を高強度なものとすることができ、かつフック１０を他物へ掛けるときに他物を傷つけることを防止できる。
【００４５】
図６及び図７に示すように、脚部１２は第２のバッグ３を自立させるための部材であり、第２のバッグ３の一方側に設けられている。脚部１２の上部は第２のバッグ３に固定されており、脚部１２の下部を地面と接触させることにより、脚部１２が第２のバッグ３を支えて立たせる。第２のバッグ３の自立時以外には、脚部１２は第２のバッグ３に沿うようにして収納されていることが好ましい。
【００４６】
脚部１２の形状は円柱、角柱のような柱状であってもよく、円筒、角筒のような筒状であってもよく、特に限定されない。中でも、脚部１２の形状は円筒状が好ましい。脚部１２の形状が円筒状であることにより、脚部１２に必要な強度を保ちつつ小型化及び軽量化が図れる。
【００４７】
脚部１２の素材は特に限定されず、例えば、アルミニウム、ステンレス等の金属、ポリカーボネート、ＦＲＰ等の合成樹脂等が挙げられる。中でも、アルミニウムが好ましい。脚部１２の素材がアルミニウムであることにより、耐久性が高く、また取り扱いが容易となる。
【００４８】
脚部１２の下部には合成樹脂または天然ゴムからなるキャップ１３を設けることが好ましい。脚部１２の下部にキャップ１３を設けることにより、脚部１２の滑り止めとなる。また、脚部１２が筒状である場合には脚部１２の内部に砂等が入り込むことを防ぐことができる。
【００４９】
脚部１２は２本であり、把手９の両側に脚部１２が１本ずつ設けられていることが好ましい。脚部１２がこのような構成であることにより、第２のバッグ３を安定して自立させることができる。
【００５０】
連結部材１４は第１のバッグ２と第２のバッグ３を接続するために用いる部材である。フック１０を第１のバッグ２の開口部１１に引っ掛けることと共に、連結部材１４が第１のバッグ２または第２のバッグ３の外周と接することにより、第１のバッグ２と第２のバッグ３を着脱可能に接続することができる。
【００５１】
連結部材１４は第１のバッグ２及び第２のバッグ３のどちらか一方のみに設けられていてもよく、第１のバッグ２及び第２のバッグ３の両方に設けられていてもよい。第１のバッグ２に連結部材１４が設けられている場合、連結部材１４が第１のバッグ２の高さ方向の中央よりも下側に設けられていることが好ましく、第１のバッグ２の高さの１０％以上４５％以下に設けられていることがより好ましく、１５％以上４０％以下に設けられていることがさらに好ましい。連結部材１４が第１のバッグ２のこのような位置に設けられていることにより、第２のバッグ３を安定的に固定することができる。また、第２のバッグ３に連結部材１４が設けられている場合、連結部材１４が第２のバッグ３の高さ方向の中央よりも下側に設けられていることが好ましく、第２のバッグ３の高さの１０％以上４５％以下に設けられていることがより好ましく、１５％以上４０％以下に設けられていることがさらに好ましい。連結部材１４が第２のバッグ３のこの位置に設けられていることにより、第１のバッグ２と第２のバッグ３の一体化固定が安定なものとなる。
【００５２】
連結部材１４の種類はベルト、紐、ロープ、ゴムバンド、面ファスナー、磁石等が挙げられるが特に限定されない。中でも、ベルトまたは紐であることが好ましい。連結部材１４の種類がベルトまたは紐であることにより、第１のバッグ２と第２のバッグ３の固定が確実かつ簡単なものとすることができる。
【００５３】
連結部材１４の形状は特に限定されないが、帯状または紐状が好ましい。連結部材１４の形状が帯状または紐状であることにより、第１のバッグ２または第２のバッグ３をより強固に固定することができる。
【００５４】
連結部材１４の素材は特に限定されず、ポリエチレン、ポリエステル、ナイロン等の合成繊維、綿、麻等の天然繊維、天然ゴム、合成ゴム等が挙げられる。中でも、合成繊維が好ましい。連結部材１４の素材が合成繊維であることにより、連結部材１４の耐久性を高めることができる。
【００５５】
連結部材１４の第１のバッグ２への取り付け方法は、連結部材１４を胴部材４または第１のバッグ２の外装材の表面へ接着、融着、縫着等の手段により取り付けてもよく、連結部材１４を胴部材４と外装材の間に通すことにより取り付けてもよく、特に限定されない。中でも、胴部材４と外装材の間に連結部材１４を通して取り付けることが好ましい。連結部材１４がこのように取り付けられていることにより、連結部材１４が胴部材４と外装材によって保護されるため、連結部材１４の耐久性が増す。なお、連結部材１４の第２のバッグ３への取り付け方法も、第１のバッグ２への取り付け方法と同様であり、特に限定されない。
【００５６】
図３及び図４に示すように、連結部材１４は第１のバッグ２の外周面上にある第１部分１５を出発点として、第１部分１５とは異なり、第１のバッグ２の外周面上にある第２部分１６を終点とする区間において露出しており、第１部分１５から第２部分１６までの連結部材１４の長さＬは第１のバッグ２の外周の３０％以上の長さであることが好ましく、３５％以上の長さであることがより好ましく、４０％以上の長さであることがさらに好ましい。連結部材１４の第１部分１５から第２部分１６までの長さがこの値となっていることにより、第２のバッグ３を第１のバッグ２へ十分に固定することができる。
【００５７】
連結部材１４は第１部材１７と第２部材１８を有しており、第１部分１５から第１部材１７の端部までの長さは第２部分１６から第２部材１８の端部までの長さよりも長いことが好ましい。連結部材１４がこのように構成されていることにより、第１部材１７と第２部材１８をつなぐ作業が行いやすくなる。
【００５８】
第１部材１７は第１留め具１９を有し、第２部材１８は第２留め具２０を有していることが好ましい。第１部材１７及び第２部材１８が第１留め具１９と第２留め具２０をそれぞれ有していることにより、第１部材１７と第２部材１８をつなぎ合わせる作業が行いやすくなる。
【００５９】
第１留め具１９及び第２留め具２０の種類は特に限定されず、例えば、バックル、ホック、面ファスナー、スナップボタン、ボタン等の係合部材であってもよい。中でも、バックルが好ましい。第１留め具１９がバックルの雌型であり、第２留め具２０がバックルの雄型であることにより、第１部材１７と第２部材１８の留め外しが容易となる。
【００６０】
連結部材１４は連結部材１４の長さを調節する長さ調節部材２１を有していることが好ましい。連結部材１４が長さ調節部材２１を有していることにより、第２のバッグ３の外径に応じて連結部材１４の長さを変えることができ、第２のバッグ３を第１のバッグ２に密着させることができる。
【００６１】
長さ調節部材２１の種類は、例えば、アジャスター、コキ、バックル、面ファスナー等が挙げられるが特に限定されない。中でも、本体部材と蓋部材を有しており、本体部材と蓋部材によって連結部材１４を挟むことによって長さの調節を行うカムバックルが好ましい。長さ調節部材２１の種類がカムバックルであることにより、長さの調節を容易に行うことができる。
【００６２】
長さ調節部材２１の素材は特に限定されず、ポリカーボネート、ポリアセタール等の合成樹脂、真鍮、鉄、アルミニウム等の金属等が挙げられる。中でも、ポリカーボネートまたはポリアセタールが好ましい。長さ調節部材２１の素材がポリカーボネートまたはポリアセタールであることにより、長さ調節部材２１を軽量かつ強度の高いものとすることができる。
【００６３】
図２に示すように、第１のバッグ２は側面に第１補助収納部６を有していることが好ましく、図５に示すように、第１補助収納部６の内部に長さ調節部材２１が配されていることが好ましい。長さ調節部材２１がこのように配されていることにより、長さ調節部材２１が外部へ露出しないために破損の恐れが少なくなり、長さ調節部材２１の耐久性を向上させることができる。また、第１のバッグ２の意匠性を高めることも可能となる。
【００６４】
第２部材１８は第１のバッグ２に固定されており、第２部分１６から第２部材１８の先端までの長さが一定であることが好ましい。第２部材１８がこのように構成されていることにより、連結部材１４の長さを変える場合、第１部材１７の長さは可変であるが、第２部材１８の長さは一定となる。そのため、第１部材１７と第２部材１８の留め外しの位置が常に定まり、第１部材１７と第２部材１８の留め外しの作業が行いやすくなる。なお、第２部材１８の第１のバッグ２への固定方法は、連結部材１４の固定方法と同様に、特に限定されない。
【００６５】
第１のバッグ２は第１部分１５及び第２部分１６にハトメ２２を有していることが好ましい。第１部分１５にハトメ２２があることにより、第１部材１７の長さを変える際に胴部材４や第１のバッグ２の外装材と第１部材１７が擦れ合い、これらが損傷することを防ぐことができる。第２部分１６にハトメ２２があることにより、第１のバッグ２を意匠性の高いものとすることができる。
【００６６】
図６に示すように、第２のバッグ３は開口縁部の他方側に第２補助収納部２３を有していることが好ましい。第２補助収納部２３が第２のバッグ３の開口縁部の他方側にあることにより、第１のバッグ２と第２のバッグ３を一体化した際に第２補助収納部２３が第１のバッグ２と接した状態となる。そのため、第２補助収納部２３が外側へ露出しにくくなり、他物と接触する恐れが小さくなる。その結果、第２補助収納部２３に収納している物品の破損を防ぐことができる。
【００６７】
図１に示すように、第２のバッグ３は脚部１２が第１のバッグ２の反対側に位置するように第１のバッグ２と接続されることが好ましい。第２のバッグ３がこのように第１のバッグ２へ接続されることにより、第２のバッグ３を自立させた際に脚部１２に付着した汚れが第１のバッグ２に付着することを防ぐことができる。
【００６８】
以上のように、本考案のキャディバッグは、胴部材と底部材を有している第１のバッグと、開口縁部の一方に把手が設けられており、開口縁部の他方にフックが設けられており、一方側に脚部が設けられている第２のバッグを有し、第１のバッグ及び第２のバッグのいずれか一方の高さ方向の中央より下側に連結部材が設けられており、フックは第１のバッグの開口部に係合し、連結部材は第１のバッグまたは第２のバッグの外周と接して第１のバッグと第２のバッグが着脱可能に接続されることを特徴とする。このような構成であることにより、第１のバッグと第２のバッグが十分に固定され、第１のバッグと第２のバッグを一体化した状態で持ち運びやすく、キャディバッグやその収納物の破損や汚損を防止することができる。
【符号の説明】
【００６９】
１：キャディバッグ
２：第１のバッグ
３：第２のバッグ
４：胴部材
５：底部材
６：第１補助収納部
７：取手
８：開口縁部
９：把手
１０：フック
１１：開口部
１２：脚部
１３：キャップ
１４：連結部材
１５：第１部分
１６：第２部分
１７：第１部材
１８：第２部材
１９：第１留め具
２０：第２留め具
２１：長さ調節部材
２２：ハトメ
２３：第２補助収納部
Ｌ：第１部分１５から第２部分１６までの連結部材１４の長さ
【図１】
0003210620.tif 000003
【図２】
0003210620.tif 000004
【図３】
0003210620.tif 000005
【図４】
0003210620.tif 000006
【図５】
0003210620.tif 000007
【図６】
0003210620.tif 000008
【図７】
0003210620.tif 000009